(57)【要約】【課題】  便蓋及び便座の支持体への適宜取付けを確保できる便器装置を提供する。【解決手段】  便器本体の後方上面に便蓋１及び便座２を取付ける支持体３を設ける。支持体３に取り付けた便蓋１及び便座２を開閉駆動させる駆動装置４を設けたことで便蓋１及び便座２の自動開閉を可能にした便器装置である。支持体３に便蓋１及び便座２の取付の有無を検知する取付検知センサ６を設ける。上記取付検知センサ６にて便蓋１及び便座２が支持体３から外れた状態にあることを検知した場合に駆動装置４の駆動をオフにするオフ制御部７を設ける。【選択図】        図１
2006122148.tif 000002
【特許請求の範囲】
【請求項１】
便器本体の後方上面に便蓋及び便座を取付ける支持体を設け、この支持体に取り付けた便蓋及び便座を開閉駆動させる駆動装置を設けたことで便蓋及び便座の自動開閉を可能にした便器装置において、支持体に便蓋及び便座の取付の有無を検知する取付検知センサを設けると共に、上記取付検知センサにて便蓋及び便座が支持体から外れた状態にあることを検知した場合に駆動装置の駆動をオフにするオフ制御部を設けたことを特徴とする便器装置。
【発明の詳細な説明】
【技術分野】
【０００１】
本発明は、便器装置に関し、詳しくは便蓋・便座の取付け構造に関するものである。
【背景技術】
【０００２】
従来から、便器装置には、便器本体のボウル部の後方上面に便蓋及び便座を取付ける支持体を設けると共に、この支持体に取り付けた便蓋及び便座を開閉駆動させる駆動装置を設けたことで、便蓋及び便座の開閉を自動的に行わせたものがある。たとえば、便蓋は便器装置に設けた人体検出センサにより、また便座は便器装置に設けた操作部により、それぞれ制御部を介して開閉制御されている。なお、便蓋や便座は便器装置の掃除やメンテなどを行い易くするために支持体に着脱自在にされている。具体的に、便蓋及び便座の支持体への取付構造は、支持体に設けた突起状の便蓋取付部及び便座取付部に対して便蓋及び便座の各受部を枢支連結させることで行われるのであるが、各取付部の周面の一部を切除して非円形に形成すると共に、便蓋及び便座の各受部の周方向の一部に切欠部を設けてあり、通常状態では各取付部が対応する各受部に嵌合すると共に、便蓋及び便座が所定の回動位置に位置した場合にのみ各取付部が切欠部に通過可能にされたことで、便蓋及び便座の支持体への脱着を可能にしている。すなわち、便蓋及び便座の取付位置を規定することで、便蓋及び便座の各駆動装置への適宜な連結を可能にして便蓋及び便座の適宜回動を図っているのである（たとえば、特許文献１参照）。
【０００３】
しかしながら、このような便蓋や便座が自動的に開閉すると共に便蓋や便座が支持体に脱着可能にされた便器装置にあって、外しておいた便蓋や便座を支持体に装着して便蓋や便座に適宜の開閉動作を行わせる場合には、規定された取付位置にある便蓋及び便座に対して各駆動装置が適宜の取付状態にあることが不可欠とされるが、便蓋及び便座が取り外された状態にあっても駆動装置を制御する制御部が作動し続けると、便蓋及び便座を取付ける際に便蓋取付部及び便座取付部が適宜の取付状態にない場合があって各取付部に便蓋及び便座が取付けることができなかったり、また無理に便蓋及び便座を適宜の取付状態にない駆動装置に連結してしまうと、その後、便蓋及び便座が所定位置まで開閉しなかったり、閉塞動作をした便蓋及び便座がたとえば便器本体に対して無理に押しつけられたりし、便蓋及び便座が所定の開閉動作を得られないばかりか、駆動装置に過負荷がかかったりして駆動装置が破損したりする不具合が生じる恐れがあった。
【特許文献１】特開平１０−２１１１２２号公報
【発明の開示】
【発明が解決しようとする課題】
【０００４】
本発明は上記の従来の問題点に鑑みて発明したものであって、便蓋及び便座の支持体への適宜取付けを確保できる便器装置を提供することを課題とするものである。
【課題を解決するための手段】
【０００５】
上記課題を解決するために本発明の請求項１に係る便器装置は、便器本体の後方上面に便蓋１及び便座２を取付ける支持体３を設け、この支持体３に取り付けた便蓋１及び便座２を開閉駆動させる駆動装置４を設けたことで便蓋１及び便座２の自動開閉を可能にした便器装置において、支持体３に便蓋１及び便座２の取付の有無を検知する取付検知センサ６を設けると共に、上記取付検知センサ６にて便蓋１及び便座２が支持体３から外れた状態にあることを検知した場合に駆動装置４の駆動をオフにするオフ制御部７を設けたことを特徴とする。
【０００６】
これによると、取付検知センサ６にて便座２や便蓋１が支持体３に取付状態にないことを検知してオフ制御部７で駆動装置４を停止制御させたことで、駆動装置４を便座２や便蓋１の支持体３への取付け・取外し状態に維持することができ、その後この状態にある駆動装置４に対して便座２や便蓋１を取付けることができることから、便座２や便蓋１の支持体３への適宜取付けを確保することができるのであり、更に言うと、駆動装置４の停止が、係止などの強制的な停止手段ではなく、オフ制御部７によるオフ制御で行われたので、停止状態の駆動装置４に過負荷などを生じさせることなく、駆動装置４の長寿命化も確保できる。
【発明の効果】
【０００７】
本発明は、駆動装置の長寿命化を図りつつ、便座や便蓋の支持体への適宜取付けを確保できるといった効果を有している。
【発明を実施するための最良の形態】
【０００８】
以下、本発明を添付図面に示す実施形態に基いて説明する。
【０００９】
便器装置は、便器本体の後方上面に便蓋１及び便座２を取付ける支持体３を設け、この支持体３に設けた取付部５に便蓋１及び便座２を着脱可能に取り付け、上記取付部５に取り付けた便蓋１及び便座２を開閉駆動させる駆動装置４を設けたことで便蓋１及び便座２の自動開閉を可能にして構成されている。具体的に本例では、上記支持体３は便器本体の後方上面に幅方向に亙るように載設した温水洗浄便座装置８の本体部９で構成されている。温水洗浄便座装置８は図２のように本体部９とこの本体部９に取付けた樹脂製の便蓋１及び便座２とで形成されている。温水洗浄便座装置８の本体部９には、その幅方向側部に操作部１０が隣接して設けられ、使用者の局部洗浄を行う洗浄ノズル１１が便器本体のボウル部に臨むようにその幅方向の中央部位における前端下縁に備えられると共に、水道経路に接続された加温タンク等の洗浄ノズル１１への洗浄水供給手段が内装されており、上記操作部１０の操作によって局部洗浄が行われるようにされている。なお、図３のように、この本体部９は便器本体の幅方向に亙るボックス状の外殻を有しているが、この外殻の前部部分には対向する１対の側壁面１２ａと背壁面１２ｂと底壁面１２ｃとで囲まれて上方及び前方に開口する凹部１２が形成され、この凹部１２に上記取付部５が形成されて便蓋１及び便座２が取付可能にされている。支持体３に取付けた便蓋１及び便座２は、本体部９に内装された制御部１３を介し、本体部９に内装した便蓋用駆動装置４ａ及び便座用駆動装置４ｂからなる駆動装置４によってそれぞれ回動駆動されて自動的に開閉可能にされている。ここで、駆動装置４は、電動モータと電動モータの回転駆動を減速して後述する駆動側枢支軸２１に伝達させる減速機構とを有して形成されている。便蓋１及び便座２の開閉制御は、たとえば、便蓋１は便器装置に設けた人体検出センサ１４が便器装置の前の使用者の存在の有無を検知して制御部１３を介して開閉動作が行われるようにされたり、便座２は操作部１０の操作によって制御部１３を介して開閉動作が行われるようにされる。
【００１０】
便蓋１や便座２を支持体３に取付けるには、本例では支持体３に対して所定角度にある便蓋１及び便座２のみを脱着可能にする取付部５にて行われる。具体的に、支持体３に別個に設けた便蓋１用の取付部５及び便座２用の取付部５を介して行わせている。すなわち、便蓋１用の取付部５は一対の側壁面１２ａの上部域から対向するように凹部１２内に突設された一対の便蓋枢支軸１５で構成されている。便蓋１はその基部における幅方向両端に幅方向外方に開口せる軸受１７を形成したボス１８がそれぞれ突設されており、便蓋１の一対の軸受１７に対応する便蓋枢支軸１５をそれぞれ係止させることで、便蓋１がその幅方向両端部で支持体３に取付けられている。また、便座２用の取付部５は一対の側壁面１２ａの下部域から対向するように凹部１２内に突設された一対の便座枢支軸１６で構成されている。便座２はその基部における幅方向両端に幅方向外方に開口せる軸受１７を形成したボス１８がそれぞれ突設されており、便座２の一対の軸受１７に対応する便座枢支軸１６をそれぞれ係止させることで、便座２がその幅方向両端部で支持体３に取付けられている。以下、便蓋１及び便座２の支持体３への取付構造を詳述するが、この取付構造は便蓋１及び便座２にかかわらず同構成であるので、便蓋１の取付構造の説明は省き、便座２の取付構造をのみ説明していく。
【００１１】
一対の便座枢支軸１６の突出先端部にはそれぞれ軸周面の一部を切除して非円形に形成した係止部１９が形成されている。つまり、係止部１９は長径と短径とを有する断面形状に施されており、詳しくは、図４，５のように、長径方向の両端部は円弧面１９ａに形成されると共に短径方向の両端部は平面１９ｂに形成されている。また、一対の便座枢支軸１６のうち一方の便座枢支軸１６は支持体３から一体に突設されて回転不能な固定軸とされており（以下、固定側枢支軸２０と称する）、他方の便座枢支軸１６は便座用駆動装置４ｂの減速機構に連結されて支持体３に対して回転可能に設けた駆動軸とされている（以下、駆動側枢支軸２１と称する）。また、便座２の一対の軸受１７のうち固定側枢支軸２０を係止させる軸受１７（以下、固定側軸受２２と称する）は、図４のように、固定側枢支軸２０の係止部１９を遊嵌する軸穴２４を有すると共にこの軸穴２４の周方向の一部に切欠部２５を設けてあり、通常状態では固定側枢支軸２０の係止部１９が軸穴２４に遊嵌され、便座２が所定の回動位置に位置した場合にのみ上記係止部１９が軸穴２４から切欠部２５を通って抜き差し可能にされている。具体的に、固定側軸受２２における軸穴２４は上記係止部１９の長径寸法を内径とする円孔形状に形成されており、切欠部２５は軸穴２４の周縁の後部に上記係止部１９の短径寸法を切欠幅とする溝形状に形成されている。しかして、固定側枢支軸２０への便座２の取付け・取外しは、図４（ｂ）のように、便座２をその基部が下端にある略垂直状態にしたときにのみ固定側枢支軸２０の係止部１９が切欠部２５を通過できて、可能にされている。
【００１２】
一方、駆動側枢支軸２１を係止させる軸受１７（以下、駆動側軸受２３と称する）は、図５のように、駆動側枢支軸２１の係止部１９を嵌合させる軸穴２４を有すると共にこの軸穴２４から切欠部２５を延設してあり、通常状態では駆動側枢支軸２１の係止部１９が軸穴２４に嵌合されて駆動側枢支軸２１の回動が便座２に伝達されるようにされ、便座２が所定の回動位置に位置した場合にのみ上記係止部１９が軸穴２４から切欠部２５を通って抜き差し可能にされている。具体的に、駆動側枢支軸２１の係止部１９は上記固定側枢支軸２０の係止部１９と、駆動側軸受２３の切欠部２５は上記固定側軸受２２の切欠部２５とそれぞれ同形状に形成されているが、駆動側軸受２３の軸穴２４は上記切欠部２５を延設した形状に形成されている。すなわち、駆動側軸受２３の切欠部２５と軸穴２４とは便座２の後方に開口する直線状の溝形状に形成されている。
【００１３】
上述したように、便座２は、固定側枢支軸２０と固定側軸受２２との係合構造により、略垂直状態にしたときにのみに支持体３に対する取付け・取外しが可能にされている。しかし、このときには、回動駆動する駆動側枢支軸２１の係止部１９も固定側軸受２２の係止部１９とその長径及び短径方向が一致する方向になければ駆動側枢支軸２１が駆動側軸受２３から抜き差しできず、便座２の支持体３に対する取付け・取外しは不可能である。なお、この問題は、自動開閉する便座２のように駆動側枢支軸２１が回動駆動するものにおいて、便座２を支持体３から取り外した後に回動駆動した駆動側枢支軸２１が便座２の取付状態に位置しなくなってその後便座２を支持体３に取付けできないといったケース２７が通常考えられるのであるが、本発明は上記問題を解決するべく、便座２（便蓋１）の支持体３への適宜取付けを確保する工夫を施したことに趣旨があり、以下に詳述する。
【００１４】
すなわち本例は、図１のように、支持体３に、便座２の取付の有無を検知する取付検知センサ６を設けると共に、上記取付検知センサ６にて便蓋１が支持体３から外れた状態にあることを検知した場合に駆動装置４の駆動をオフにするオフ制御部７を設け、便座２を支持体３から取り外した状態では駆動側枢支軸２１を回動不能に制御したことに特徴を有している。具体的に、本例の取付検知センサ６には便座２に設けた磁石２６の磁界を検知するホール素子を利用した磁力検知センサが用いられており、図４のように、この取付検知センサ６は凹部１２の側壁面１２ａの便座枢支軸１５の近傍位置に配設され、磁石２６はボス１８の外側端面における便座２が所定回動をしたときに取付検知センサ６に相対する範囲の部位に亙って配設されている（なお、本例では、便座２の回動角度範囲を閉状態０°として全開状態１２０°とすると、余裕を見て便座２の回動角度範囲を含む０°〜１８０°の範囲に亙って磁石２６が設けられている）。しかして、この取付検知センサ６によると、回動状態にかかわらず便座２の支持体３への取付の有無が検知可能にされている。なお、取付検知センサ６を適宜位置に複数設けるとより正確に便座２の支持体３への取付の有無を検知可能にできて好ましい。ここで、取付検知センサ６にて便座２が支持体３に取付状態にないことを検知してオフ制御部７で駆動側枢支軸２１の回動が停止制御されたときには、すなわち便座２が支持体３から取り外されたときであって駆動側枢支軸２１が便座２の取外し状態に維持されるのであり、その後便座２を支持体３に取付けようとしたときには、便座２の取外し状態に維持された駆動側枢支軸２１や固定側枢支軸２０に対して便座２を取付けることができて、便座２の支持体３への適宜状態の取付けが確保されるのである。なお、オフ制御部７による駆動装置４へのオフ制御は、図６のフローチャートのように制御部１３による駆動装置４の制御よりも優先して行われる。
【００１５】
ところで、本例は一対の便座枢支軸１６の一方に固定側枢支軸２０を用いて便座２を垂直状態にしたときのみ便座枢支軸１６に取付可能にしたものであるが、一対の便座枢支軸１６の両方に同期回動する駆動側枢支軸２１を用いて垂直状態以外の任意位置でも便座２を便座枢支軸１６から取外し可能にしたものであっても、取付検知センサ６及びオフ制御部７によると便座２を取外した状態で駆動側枢支軸２１を止めて保持することができるから、この状態の駆動側枢支軸２１に再び便座２を取付けることで、便座２と駆動側枢支軸２１とが回転位相のズレなどを生じずに適宜状態で連結できて、回動中の便座２が便器本体に強く当接したりする恐れを無くして便座２の開閉動作を正常に行うことが確保されるのである。更に言うと、このように便座２が支持体３に取付状態にないときにオフ制御部７によって便座２を回動駆動させる駆動側枢支軸２１を停止制御させたことによると、駆動側枢支軸２１を係止などにて物理的に回転不能にさせたものと比較して、電動モータや駆動装置４内に過負荷をかけること無しに駆動側枢支軸２１の回動を停止でき、駆動装置４の長寿命化を図り得るといった利点も有している。
【００１６】
上述したように、便蓋１の支持体３への取付構造も、上述した便座２の支持体３への取付構造と同構造とされており、支持体３に便蓋１の取付の有無を検知する取付検知センサ６を設けると共に、上記取付検知センサ６にて便座２が支持体３から外れた状態にあることを検知した場合に駆動装置４の駆動をオフにするオフ制御部７を設け、便蓋１を支持体３から取り外した状態では駆動側枢支軸２１を回動不能に制御しており、便蓋１の支持体３への適宜状態の取付けを確保しているのである。
【００１７】
なお、便座枢支軸１６や便蓋枢支軸１５における駆動側枢支軸２１には、係止などにて強制的に回転不能にさせる機構を併せて備えても好ましい。この強制的に駆動側枢支軸２１を回転不能にさせる機構としては、たとえば図７に示す機構や、図８に示す機構が挙げられる。
【００１８】
図７の機構は、駆動装置４のケース２７内に収めた駆動側枢支軸２１の基端と対向する駆動装置４のケース２７内の部位との間にコイルバネ２８を介装し、駆動側枢支軸２１に係止突起２９を軸外方向に突設すると共に駆動装置４のケース２７の内面に被係止突起３０を内方に突設し、図７（ｂ）のように便座２（便蓋１）を支持体３に取付けた状態にあるときには便座２（便蓋１）にて駆動側枢支軸２１がコイルバネ２８の付勢に抗ってその基端側に押し込まれて係止突起２９と被係止突起３０との係止を行わせないようにしたことで駆動側枢支軸２１を回動駆動可能にし、図７（ａ）のように便座２（便蓋１）を支持体３から外した状態にあるときにはコイルバネ２８の付勢にて駆動側枢支軸２１がその先端側にずれて係止突起２９を被係止突起３０に係止させることで駆動側枢支軸２１を回動不能にしたものである。なお、図中３１は駆動側枢支軸２１の基端に一体に形成された駆動装置４の減速機構に連結する連結歯車であり、図中３２は駆動側枢支軸２１の係止部１９を便座２（便蓋１）の軸受１７の軸穴２４にスムーズに導くガイド面である。
【００１９】
図８の機構は、係止部１９が形成された軸部２１ａの外側に筒部２１ｂを先端基端方向にスライド自在に被せると共に軸周方向には筒部２１ｂと軸部２１ａとが一体に回転可能になるよう連結して駆動側枢支軸２１を形成し、この駆動側枢支軸２１の基端側を駆動装置４のケース２７内に収めて筒部２１ｂの基端と対向する駆動装置４のケース２７内の部位との間にコイルバネ２８を介装し、筒部２１ｂに係止突起２９を軸外方向に突設すると共に駆動装置４のケース２７の内面に被係止突起３０を内方に突設し、図８（ｂ）のように便座２（便蓋１）を支持体３に取付けた状態にあるときには便座２（便蓋１）の幅方向側縁に形成した押込突部３３が筒部２１ｂの先端の突出部３４を押圧することで駆動側枢支軸２１がコイルバネ２８の付勢に抗って駆動側枢支軸２１の基端側に押し込まれて係止突起２９と被係止突起３０との係止を行わせないようにしたことで駆動側枢支軸２１を回動駆動可能にし、図８（ａ）のように便座２（便蓋１）を支持体３から外した状態にあるときにはコイルバネ２８の付勢にて筒部２１ｂが駆動側枢支軸２１の先端側にずれて係止突起２９を被係止突起３０に係止させることで駆動側枢支軸２１を回動不能にしたものである。なお、図中３１は筒部２１ｂに形成された駆動装置４の減速機構に連結する連結歯車であり、図中３２は駆動側枢支軸２１の係止部１９を便座２（便蓋１）の軸受１７の軸穴２４にスムーズに導くガイド面である。
【００２０】
このように便座２（便蓋１）が支持体３から外れた状態にある場合に、オフ制御部７にて駆動装置４の駆動をオフにすると共に係止突起２９と被係止突起３０との係止で強制的に駆動側枢支軸２１を回転不能にすると、駆動側枢支軸２１の回動が２重に防止させることができ、何らかの不具合でオフ制御部７による駆動装置４のオフ制御が為されなかったときにも強制的に駆動側枢支軸２１が回転不能にされているので、確実に駆動側枢支軸２１の回動を防止できて、便座２（便蓋１）の適宜取付けをより確実に確保できるのである。
【図面の簡単な説明】
【００２１】
【図１】本発明の実施の形態の例の制御ブロック図である。
【図２】同上の温水洗浄便座装置の斜視図である。
【図３】同上の温水洗浄便座装置の本体部の透視斜視図である。
【図４】（ａ）は便座の固定側枢支軸への取付状態を示す概略側面図であり、（ｂ）は便座の固定側枢支軸への取付け・取外し状態を示す概略側面図である。
【図５】（ａ）は便座の駆動側枢支軸への取付状態を示す概略側面図であり、（ｂ）は便座の駆動側枢支軸への取付け・取外し状態を示す概略側面図である。
【図６】同上の動作フローチャートである。
【図７】本発明の実施の形態の他例における駆動側枢支軸を機構的に回転不能にする機構の一例であり、（ａ）は便座を取り外した状態の概略正面断面図であり、（ｂ）は便座を取付けた状態の概略正面断面図である。
【図８】本発明の実施の形態の他例における駆動側枢支軸を機構的に回転不能にする機構の他例であり、（ａ）は便座を取り外した状態の一部を切り欠いた概略正面断面図であり、（ｂ）は便座を取付けた状態の一部を切り欠いた概略正面断面図である。
【符号の説明】
【００２２】
１  便蓋
２  便座
３  支持体
４  駆動装置
５  取付部
６  取付検知センサ
７  オフ制御部
８  温水洗浄便座装置
９  本体部
【図１】
2006122148.tif 000003
【図２】
2006122148.tif 000004
【図３】
2006122148.tif 000005
【図４】
2006122148.tif 000006
【図５】
2006122148.tif 000007
【図６】
2006122148.tif 000008
【図７】
2006122148.tif 000009
【図８】
2006122148.tif 000010